(57)【要約】  【課題】二枚のスキャノグラム像からスキャン計画をたてる際に、モニタ上での表示領域を確保でき、更に視点を切り替えることなく二枚のスキャノグラムを確認できるＸ線ＣＴ装置を提供することを目的とする。  【解決手段】  被検体の断層撮影前に二つの異なる撮影角度から撮影した二枚のスキャノグラム像４１，４２を生成し、前記二枚のスキャノグラム像４１，４２の被検体の体軸方向に沿った一部のスキャノグラム像同士を、体軸方向の位置が一致するように位置合わせした２次元直交画像４３を生成する。その２次元直交画像４３をモニタ１４に表示して、スキャン計画を立てる。  【選択図】図８
2006136418.tif 000002
【特許請求の範囲】
【請求項１】
Ｘ線を照射するＸ線源と、
被検体をはさんで前記Ｘ線源に対向して配置され、Ｘ線を検出して投影データを出力するＸ線検出器と、
前記Ｘ線源及び前記Ｘ線検出器を搭載して回転可能な回転手段と、
前記投影データに基づいてスキャン計画を作成するためのスキャノグラム像を生成する画像処理装置と、
前記スキャノグラム像を表示する表示装置と、
を備えたＸ線ＣＴ装置であって、
前記画像処理装置は、
被検体の断層撮影前に二つの異なる撮影角度から撮影した二枚のスキャノグラム像を生成し、
前記二枚のスキャノグラム像の一部同士を被検体の体軸方向に沿って位置合わせした合成画像を生成する、
ことを特徴とするＸ線ＣＴ装置。
【請求項２】
前記画像処理装置は、前記二枚のスキャノグラム像の被検体の体軸方向の位置を合わせるとともに、被検体の体軸方向の中心線が一致するように前記撮影角度に合わせて交差させ、前記交差させた二枚のスキャノグラム像を前記中心線と直交する任意の方向から観察可能に回転処理する、
ことを特徴とする請求項１に記載のＸ線ＣＴ装置。
【請求項３】
前記画像処理装置は、前記二枚のスキャノグラム像をそれぞれ被検体の中心線に沿って区分して四枚の半身のスキャノグラム像を生成し、前記四枚の半身のスキャノグラム像の任意の二枚を合成する、
ことを特徴とする請求項１に記載のＸ線ＣＴ装置。
【発明の詳細な説明】
【技術分野】
【０００１】
本発明は、Ｘ線ＣＴ装置に係り、特に複数のスキャノグラム像をより見やすく表示する技術に関する。
【背景技術】
【０００２】
Ｘ線ＣＴ装置において、任意の断面を取得するためにまず大まかな撮影範囲をスキャノグラム像より得る。そのスキャノグラム像からスキャン計画をたてて、撮影を行い任意の断面像を取得する。この場合、平面透視撮影により一方向のみの画像を取得し、このスキャノグラム像に基づいてからスキャン計画を立てると、腹囲の大きい被検体の場合は、操作者がほしい範囲（被検体において最も幅が広い範囲）の画像が得られないことがある。
【０００３】
そこで、特許文献１には、異なる２方向からスキャノグラム像を撮影して、二枚のスキャノグラム像からスキャン計画を立てることでより失敗のない画像を得る技術が開示されている。
【０００４】
このスキャン計画の作成手順を図１１のフローチャートに沿って説明する。
【０００５】
まず、被検体を撮影し、第一のスキャノグラム像を作成する（Ｓ１００１）。次に、第一のスキャノグラム像を撮影した角度に対して相対９０°となる角度から撮影し、第二のスキャノグラム像を作成する（Ｓ１００２）。次に第一のスキャノグラム像をモニタに表示する（Ｓ１００３）。操作者は、表示された第一のスキャノグラム像を見ながら、有効視野範囲（ＦＯＶ）、撮影範囲、再構成枚数等の撮影条件を設定する（Ｓ１００４）。第一のスキャノグラム像に基づいて撮影条件の設定が完了した場合には、ステップＳ１００６に進む。第一のスキャノグラム像に基づいて撮影条件の設定が完了しない場合には、ステップＳ１００４に戻り撮影条件の再設定を行う。第一のスキャノグラム像に基づいて設定した撮影条件により、本撮影に必要な撮影条件が全て設定できた場合には、スキャノ計画を設定する処理を終了する（Ｓ１００６）。第一のスキャノグラム像に基づいて設定した撮影条件だけでは、本撮影に必要な撮影条件が全て設定できない場合には、ステップＳ１００７に進む（Ｓ１００６）。
【０００６】
次に第二のスキャノグラム像を表示し（Ｓ１００７）、撮影条件を設定する（Ｓ１００８）。第二のスキャノグラム像に基づいて撮影条件の設定が完了した場合には、ステップＳ１０１０に進む（Ｓ１００９）。第二のスキャノグラム像に基づいて撮影条件の設定が完了しない場合には、ステップＳ１００８に戻り撮影条件の再設定を行う（Ｓ１００９）。第二のスキャノグラム像に基づいて設定した撮影条件により、本撮影に必要な撮影条件が全て設定できた場合には、スキャノ計画を設定する処理を終了する（Ｓ１０１０）。第二のスキャノグラム像に基づいて設定した撮影条件だけでは、本撮影に必要な撮影条件が全て設定できない場合には、ステップＳ１００３に戻り、第一のスキャノグラム像を表示して再度撮影条件の設定を行う（Ｓ１０１０）。
【０００７】
第一のスキャノグラム像と第二のスキャノグラム像とは、図１２（ａ）に示すようにモニタの画面表示を切り替えて一枚ずつ表示させたり、または、図１２（ｂ）に示すようモニタの画面を分割し、二枚のスキャノグラム像を並べて表示させたりする。
【特許文献１】特許第３２４４４５８号公報
【発明の開示】
【発明が解決しようとする課題】
【０００８】
スキャン計画を立てる際に、撮影したスキャノグラム像を表示しそのスキャノグラム像上に撮影条件を示す枠やラインを引いたり、そのラインを移動したりするため、スキャノグラム像はより大きく表示されたほうが好ましい。
【０００９】
しかし、モニタ画面を分割して二枚のスキャノグラム像を表示させると、一枚あたりのスキャノグラム表示領域が狭くなるという問題がある。また、第一のスキャノグラム像と第二のスキャノグラム像とを一枚ずつ表示させると、表示領域は広くなるが、視点の切り替え（画面の切り替え）が必要となるという問題がある。
【００１０】
特に、多列検出器により１回のスキャノグラム撮影において胸部から足部までといった広範囲を撮影する場合には、撮影範囲が広くなればなるほど、表示領域上でのスキャノグラム像は小さくなるため上記の問題が顕著となる。
【００１１】
そこで本発明は、上記の問題点に鑑みてなされたものであり、二枚のスキャノグラム像からスキャン計画をたてる際に、モニタ上での表示領域を確保でき、更に視点を切り替えることなく二枚のスキャノグラムを確認できるＸ線ＣＴ装置を提供することを目的とする。
【課題を解決するための手段】
【００１２】
前記目的を達成するために、本発明は、Ｘ線を照射するＸ線源と、被検体をはさんで前記Ｘ線源に対向して配置され、Ｘ線を検出して投影データを出力するＸ線検出器と、前記Ｘ線源及び前記Ｘ線検出器を搭載して回転可能な回転手段と、前記投影データに基づいてスキャン計画を作成するためのスキャノグラム像を生成する画像処理装置と、前記スキャノグラム像を表示する表示装置と、を備えたＸ線ＣＴ装置であって、前記画像処理装置は、被検体の断層撮影前に二つの異なる撮影角度から撮影した二枚のスキャノグラム像を生成し、前記二枚のスキャノグラム像の一部同士を被検体の体軸方向に沿って位置合わせした合成画像を生成する。
【００１３】
また、前記画像処理装置は、前記二枚のスキャノグラム像の被検体の体軸方向の位置を合わせるとともに、被検体の体軸方向の中心線が一致するように前記撮影角度に合わせて交差させ、前記交差させた二枚のスキャノグラム像を前記中心線と直交する任意の方向から観察可能に回転処理する。
【００１４】
また、前記画像処理装置は、前記二枚のスキャノグラム像をそれぞれ被検体の中心線に沿って区分して四枚の半身のスキャノグラム像を生成し、前記四枚の半身のスキャノグラム像の任意の二枚を合成する。
【発明の効果】
【００１５】
本発明によれば、二枚のスキャノグラム像を体軸方向に直交させた２次元直交画像を生成して表示する。そのため、二枚のスキャノグラム像からスキャン計画をたてる際に、モニタ上での表示領域を確保でき、更に視点を切り替えることなく二枚のスキャノグラムを確認できるＸ線ＣＴ装置を提供することができる。
【発明を実施するための最良の形態】
【００１６】
以下、添付図面に従って本発明に係るＸ線ＣＴ装置の好ましい実施の形態について詳説する。
【００１７】
図１は、本発明の一実施の形態に係るＸ線ＣＴ装置１の構成を示すハードウェア構成図である。図２は、画像処理装置のハードウェア構成を示すブロック図である。図３は、スキャノグラム像を取得するためにどの方向からＸ線を照射するかを示した模式図である。
【００１８】
図１に示すＸ線ＣＴ装置１は、被検体のスキャノグラム像や断層像を撮影するスキャナ１０と、Ｘ線ＣＴ装置１全体を制御する中央処理装置や、画像の再構成演算を実行する画像再構成処理回路や、撮影条件設定を実現するためのプログラムや断層像などが格納される磁気ディスク等を有する画像処理装置１１と、外部操作手段としてのキーボード１２、マウス１３と、表示手段としてのモニタ１４とから構成されている。
【００１９】
画像処理装置１１は、図２に示すように、Ｘ線ＣＴ装置１全体を制御する中央処理装置（ＣＰＵ）１５と、装置の制御プログラム、プログラム実行時の作業領域となる主メモリ１６と、磁気ディスク１７と、表示用データを一時記憶する表示メモリ１８と、マウス１３の状態を検出してモニタ１４上のマウスポインタの位置やマウス１３の状態等の信号をＣＰＵ１５に出力するコントローラ１９と、上記各構成要素を接続するバスとから構成される。画像処理装置１１は、スキャナ１０から創出された投影データに基づいて画像処理を行なっても良いし、院内ＬＡＮ６０などのネットワークを介して取得した投影データに基づいて画像処理を行なっても良い。
【００２０】
スキャナ１０のガントリには、図３に示すように、Ｘ線管球２１とＸ線検出器２２とが１８０度対向した位置関係で配置されている。このＸ線管球２１から発生したＸ線は、寝台２０上に寝ている被検体３０を通過してＸ線検出器２２に入射し、ここで電気信号に変換されて画像処置装置１１に送出される。
【００２１】
画像処理装置１１は、スキャナ計測によって入力したデータから公知の画像再構成手法によって断層像を再構成する。再構成された断層像は、モニタ１４に表示され、また再表示等のために画像処理装置１１に備えられた磁気ディスクに格納される。
【００２２】
次に図３に基づいて被検体の断層像撮影前に行なうスキャノグラム撮影角度について説明する。なお、ここでいうスキャノグラム撮影とは、被検体の撮影及び画像再構成数や撮影及び画像再構成位置などの撮影条件を設定する目的で、被検体の平面透視像を撮影するものである。
【００２３】
スキャノグラム像は、目的の臓器の範囲を的確に撮影するために最初に撮影されるＸ線画像である。スキャノグラム像を作成する方法として、（１）Ｘ線管球２１とＸ線検出器２２とを回転させずに被検体３０を乗せた寝台２０だけを体軸方向に移動させながらＸ線を曝射して作成する方法と、（２）Ｘ線管球２１とＸ線検出器２２とを有するガントリだけを体軸方向に移動させながらＸ線を曝射して作成する方法と、（３）Ｘ線管球２１とＸ線検出器２２とを回転させて任意の角度でＸ線を照射して寝台２０だけを体軸方向に移動させて作成する方法と、（４）Ｘ線管球２１とＸ線検出器２２とを有するガントリだけを回転させて任意の角度でＸ線を照射して体軸方向に移動させながら作成する方法とがある。
【００２４】
１枚だけスキャノグラム像を撮影する場合は、部位によってスキャノグラム像の撮影角度が決まる。頭部であれば、ＬＡＴ方向(９０°方向)である。また、頭部以外であれば（胸部、腹部、等）は、ＰＡ方向（１８０°方向）からの撮影が行われることが一般的である。これは体の幅(体幅)と厚さ（体厚）でどちらが大きいかで判断しており、大きい方のスキャノグラム像を用いてスキャン計画を立てれば所望の撮影領域(ＦＯＶ)で再構成画像を得ることができるためである。
【００２５】
しかし、極端に背骨が椀曲している、もしくは、背中や、胸などに傷があるなど、何らかの理由によりテーブルに対して仰向けもしくは腹ばいで寝ることが出来ない被検体に対して、通常の仰向け、腹ばいで寝ることが出来る被検体度同様に、図３の９０°方向、もしくは、１８０°方向にＸ線管球２１をあわせてスキャノグラム撮影を行なった場合は、被検体の体位がＸ線管球２１に対して斜めになっているため、スキャノグラム上に現れる体幅は実際の体幅より細くなってしまう。このような、被検体には体の傾斜に対して、垂直、もしくは平行になる角度で撮影する方法(オブリーク方向からの撮影)がある。
【００２６】
例えば、胸腹部撮影時に腹水がたまっている被検体は、体の厚さ（体厚）が、体の幅（体幅）より大きい場合がある。そのため９０°方向からのスキャノグラム像のみでスキャン計画を立てて有効視野(ＦＯＶ)を決定した場合に、所望の撮影領域の再構成画像を取得できない可能性が生じる。
【００２７】
そのため、直交する二方向から取得した二枚のスキャノグラム像を用いてスキャン計画を立てる方法がある。
【００２８】
直交する２方向から撮影したスキャノグラム像に基づいてスキャン計画を立てることにより、体の厚さ（体厚）が、体の幅（体幅）より大きい被検体３０、例えば腹水がたまった被検体３０でも二つの画像を確認しながらスキャン計画を立てることができるため、所望の有効視野(ＦＯＶ)での再構成画像を得ることができる。
【００２９】
次に図４に基づいて、第一の実施の形態に係るＸ線ＣＴ装置１により、二つの直交するスキャノグラム像を撮影し、スキャン計画を立てる工程を説明する。図４は、第一の形態に係るＸ線ＣＴ装置１によりスキャン計画を立てる工程を説明するフローチャートである。以下、図４の各ステップ順に従って説明をする。
【００３０】
（ステップＳ３０１）
まず、第一のスキャノグラム像を作成する（Ｓ３０１）。第一のスキャノグラム像は、図３において説明をしたＬＡＴ方向（９０°方向）から被検体３０を撮影する。
【００３１】
（ステップＳ３０２）
次に、第二のスキャノグラム像を作成する（Ｓ３０２）。第二のスキャノグラム像は、図３において説明したＰＡ方向（１８０°方向）から被検体３０を撮影する。
【００３２】
（ステップＳ３０３）
ステップＳ３０１、ステップＳ３０２で作成した第一のスキャノグラム像及び第二のスキャノグラム像を画像合成処理し、２次元直交画像を作成する。（Ｓ３０３）。
【００３３】
２次元直交画像とは、直交した２角度から撮影したスキャノグラム像を合成することによって立体的に表示した画像である。
【００３４】
第一のスキャノグラム像及び第二のスキャノグラム像は、９０°異なる角度から撮影しているため画像は直交している。画像処理装置１１は、それぞれのスキャノグラム像の計測中心線４０を基準に重ねて位置合わせをするための画像合成処理を行ない、２次元直交画像４３を作成する。
【００３５】
２次元直交画像４３では、９０°方向からの画像及び１８０°方向からの画像が、体軸方向に沿って、９０°の角度をもって合成される。合成されたスキャノグラム像の２次元直交画像４３は、一般的な陰影処理、視点の処理など用い、３次元的な表示画像として作成されてもよい。
【００３６】
（ステップＳ３０４）
モニタ１４は、２次元直交画像４３を表示する。また、撮影条件を示す枠やラインについても表示角度を考慮して表示を行う。
【００３７】
操作者は、表示された２次元直交画像４３及び枠やラインを見て、断層撮影をするためのスキャン計画をたてる（Ｓ３０４）。
【００３８】
スキャン計画で決定する撮影条件には、有効視野（ＦＯＶ）、撮影範囲、再構成枚数などがある。
【００３９】
（ステップＳ３０５）
操作者は、ステップＳ３０４においてモニタ１４に表示された２次元直交画像４３に基づいて撮影条件の設定が完了した場合には、スキャン計画の設定を終了する。ステップＳ３０４においてモニタ１４に表示された２次元直交画像４３では、操作者が所望する被検体の範囲が表示されていない結果、撮影条件の設定が完了しない場合には、ステップＳ３０６に進む。
【００４０】
（ステップＳ３０６）
操作者は、マウス１３などの入力装置を用いて、２次元直交画像４３を任意の角度で回転させて、所望する被検体の範囲が表示されている角度からみた２次元直交画像を表示する（ステップＳ３０６）。
【００４１】
そして、ステップＳ３０４に戻り、再度、断層撮影をするためのスキャン計画をたてる（Ｓ３０４）。
【００４２】
次に図５に基づいて、本実施の形態に係る二枚のスキャノグラム像（第一スキャノグラム像及び第二スキャノグラム像）の画面表示例について説明する。図５は、本実施の形態に係る二枚のスキャノグラム像の画面表示例を示すための概念図である。
【００４３】
本実施の形態に係るＸ線ＣＴ装置１は、図３で説明したＬＡＴ方向から撮影した第一のスキャノグラム像４１と、ＰＡ方向から撮影した第二のスキャノグラム像４２とを、被検体３０の体軸方向に沿って計測中心線４０を基準に位置合わせを行い、２次元直交画像４３を作成する。そして、計測中心線４０を回転軸とし、２次元直交画像４３を任意の角度で回転させてモニタ１４上に表示することにより、スキャン計画を立てやすくなる。
【００４４】
この２次元直交画像４３について、図６及び図７に基づいて詳説する。図６は、第一のスキャノグラム像４１及び第二のスキャノグラム像４２を合成して、２次元直交画像４３を作成する方法を示す概念図である。図７は、図６で作成した２次元直交画像４３を回転させた状態を示す模式図である。
【００４５】
図６に示すように、Ｘ−Ｚ座標で撮影された第二のスキャノグラム像４２をＸＹＺ座標に座標変換する。そして、座標変換後の第二のスキャノグラム像と、第一のスキャノグラム像４１とを、ＸＹＺ座標上で、計測中心線４０を基準に画像合成し、２次元直交画像４３を作成する。
【００４６】
２次元直交画像４３は、モニタ１４上に表示される画像回転アイコン５０にマウス１３のマウスポインタ１３ａを合わせて回転指示を入力することにより、任意の角度に回転させて表示できる。
【００４７】
図７(ａ)は、２次元直交画像４３を回転させてＬＡＴ方向から表示した2次元直交画像４３である。図７(ａ)は、ＬＡＴ方向から撮影した第一のスキャノグラム像４１だけを表示した状態と同様の表示であり、従来技術において、ＬＡＴ方向から撮影したスキャノグラム像だけを表示させた状態と同様の表示をさせることができる。
【００４８】
図７（ｂ）は、２次元直交画像４３を更に回転させた状態を示す。回転角度によっては、第二のスキャノグラム像４２の上下に、第一のスキャノグラム像４１が表示される。すなわち、第一のスキャノグラム像４１における第二のスキャノグラム４２に隠れた部分が表示される。なお、第一のスキャノグラム像４１または第二のスキャノグラム像４２が分割されて表示される場合には、表示領域が大きい方のみをモニタ１４に表示させても良い。図７（ｂ）では、第二のスキャノグラム４２の下に表示された第一のスキャノグラム像４１は、表示しないようにしてもよい。
【００４９】
図７（ｃ）は、２次元直交画像４３の視点を４５°傾けた状態を示す。この場合、第一のスキャノグラム像４１と第二のスキャノグラム像４２とは、同面積の表示領域を用いて表示される。
【００５０】
図７（ｄ）は、２次元直交画像４３の視点を更に４５°回転させて、ＰＡ方向から表示した２次元直交画像４３である。図７(ｄ)は、第二のスキャノグラム像だけを表示した状態と同様の表示であり、従来技術において、ＰＡ方向から撮影したスキャノグラム像だけを表示させた状態と同様の表示をさせることができる。
【００５１】
なお、図７では、２次元直交画像４３を９０°回転させた例を示したが、２次元直交画像４３は３６０°回転でき、任意の角度で表示させることができる。
【００５２】
次に、図８に基づいて２次元直交画像４３の画面表示について説明する。図８は、２次元直交画像４３の画面表示例を示す模式図である。
【００５３】
操作者は、マウス１３を操作してマウスポインタ１３ａを画像回転アイコン５０に合わせる。そして、モニタ１４に表示された２次元直交画像４３を回転させる。２次元直交画像４３を回転させる指示は、画像回転アイコン５０の他、モニタ１４に表示されたツールボックス領域４４に備えられた各種ツール、例えば画像を９０°回転させたり、上下左右方向に移動させたリする指示を入力可能なツールを操作することにより入力しても良い。
【００５４】
モニタ１４に表示された２次元直交画像４３には、画像再構成位置（撮影位置）を示すライン４５が、画像再構成数と同数表示される。操作者は、ライン４５にマウス１３のマウスポインタ１３ａを合わせてライン間隔の広狭を調整し、スキャン計画を立てる。
【００５５】
Ｘ線ＣＴ装置１は、立てられたスキャン計画に基づいて断層撮影を行い、Ｘ線検出器２２が出力した投影データに基づいて断層像を再構成する。
【００５６】
図８では、一つの視点から見た２次元直交画像４３をモニタ１４に表示したが、図９に示すように複数の視点から見た２次元直交画像４３をモニタ１４に表示させても良い。これにより、被検体３０における最も幅が広い部位を探す場合に、探しやすくなる。
【００５７】
次に図１０に基づいて、２次元直交画像４３を作成する第二の実施の形態について説明する。図１０は、２次元直交画像４３を作成する第二の実施の形態について説明するための模式図である。
【００５８】
第二の実施の形態に係る２次元直交画像４３の作成方法は、第一のスキャノグラム像４１の計測中心線４０と第二のスキャノグラム像４２の計測中心線４０とを基準として体軸方向と直交する方向に分割して得られるスキャノグラム分割画像を合成することにより、２次元直交画像４３を作成するものである。
【００５９】
具体的には、図１０（ａ）に示すように、第一のスキャノグラム像４１は、計測中心線４０を基準に体軸方向と直交する方向に二分割され、スキャノグラム分割画像４１ａと４１ｂとが作成される。同様に、図１０（ｂ）に示すように第二のスキャノグラム像４２は、計測中心線４０を基準に体軸方向と直交する方向に二分割されて、スキャノグラム分割画像４２ａと４２ｂとが作成される。
【００６０】
そして、スキャノグラム分割画像４１ａ又は４１ｂと、スキャノグラム分割画像４２ａ又は４２ｂとを組み合わせることにより２次元直交画像４３を作成する。これにより作成される２次元直交画像４３は、図１０（ａ）に示すスキャノグラム分割画像４１ａ及び４１ｂの組合せからなる２次元直交画像４３、図１０（ｂ）スキャノグラム分割画像４２ａ及び４２ｂの組合せからなる２次元直交画像４３、図１０（ｃ）に示すスキャノグラム分割画像４１ａ及びスキャノグラム分割画像４２ａの組合せからなる２次元直交画像４３、図１０（ｄ）に示すスキャノグラム分割画像４１ａ及びスキャノグラム分割画像４２ｂの組合せからなる２次元直交画像４３、図１０（ｅ）に示すスキャノグラム分割画像４１ｂ及びスキャノグラム分割画像４２ａの組合せからなる２次元直交画像４３、図１０（ｆ）に示すスキャノグラム分割画像４１ｂ及びスキャノグラム分割画像４２ｂの組合せからなる２次元直交画像４３の６種類である。
【００６１】
上記の実施の形態では、二枚のスキャノグラム画像を撮影するための角度としてＰＡ方向とＬＡＴ方向との二方向から撮影を行ったが、撮影方向は相対的に９０°であればよく、ＰＡ方向とＬＡＴ方向との二方向に限定されるものではない。
【００６２】
また、図１ではガントリタイプのＸ線ＣＴ装置を開示しているが、他のタイプのＸ線ＣＴ装置、例えばＣ型アームのＸ線ＣＴ装置でもよく、ガントリタイプのＸ線ＣＴ装置に限定されるものではない。
【００６３】
本発明により、二枚のスキャノグラム像を用いて、その画像を合成して1画面上に表示させることができる。そのため、二枚のスキャノグラム像からスキャン計画をたてる際に、モニタ上での表示領域を確保でき、更に視点を切り替えることなく二枚のスキャノグラムを確認できるＸ線ＣＴ装置を提供することができる。
【００６４】
また、モニタ１４に表示された合成画像及び撮影位置を示すための枠やラインをみながらスキャン計画を立てるため、被検体について断層撮影した位置を理解しやすくなり、検査効率を向上することができる。
【図面の簡単な説明】
【００６５】
【図１】図１は本発明の一実施の形態に係るＸ線ＣＴ装置１の構成を示すハードウェア構成図
【図２】図２は画像処理装置のハードウェア構成を示すブロック図
【図３】図３は、スキャノグラム像を取得するためにどの方向からＸ線を照射するかを示した模式図
【図４】図４は、本実施の形態に係るＸ線ＣＴ装置によりスキャン計画を立てる工程を説明するフローチャート
【図５】図５は、本実施の形態に係る二枚のスキャノグラム像の画面表示例を示すための概念図
【図６】図６は、第一のスキャノグラム像４１及び第二のスキャノグラム像４２を合成して、２次元直交画像４３を作成する方法を示す概念図
【図７】図７は、図６で作成した２次元直交画像４３を回転させた状態を示す模式図
【図８】図８は、２次元直交画像４３の画面表示例を示す模式図
【図９】図９は、複数の２次元直交画像４３を画面表示した例を示す模式図
【図１０】図１０は、２次元直交画像４３を作成する第二の実施の形態について説明するための模式図
【図１１】図１１は、従来技術における二枚のスキャノグラム像に基づいてスキャノ計画を立てる工程を示すフローチャート
【図１２】図１２は、従来技術における画面表示例を示す模式図
【符号の説明】
【００６６】
１…Ｘ線ＣＴ装置、１０…スキャナ、１１…画像処理装置、１２…キーボード、１３…マウス、１３ａ…マウスポインタ、１４…モニタ、１５…ＣＰＵ、１６…主メモリ、１７…磁気ディスク、１８…表示メモリ、１９…コントローラ、２０…寝台、２１…Ｘ線管球、２２…Ｘ線検出器、３０…被検体、４０…計測中心線、４１…ＬＡＴ方向から撮影したスキャノグラム像、４１ａ…スキャノグラム分割画像、４１ｂ…スキャノグラム分割画像、４２…ＰＡ方向から撮影したスキャノグラム像、４２ａ…スキャノグラム分割画像、４２ｂ…スキャノグラム分割画像、４３…２次元直交画像、４４…ツールボックス領域、４５…スキャン計画で用いるスキャン位置を示すライン、５０…画像回転アイコン、６０…ＬＡＮ
【図１】
2006136418.tif 000003
【図２】
2006136418.tif 000004
【図３】
2006136418.tif 000005
【図４】
2006136418.tif 000006
【図５】
2006136418.tif 000007
【図６】
2006136418.tif 000008
【図７】
2006136418.tif 000009
【図８】
2006136418.tif 000010
【図９】
2006136418.tif 000011
【図１０】
2006136418.tif 000012
【図１１】
2006136418.tif 000013
【図１２】
2006136418.tif 000014